(57)【要約】【課題】  種々の太さや形状を有する石突への対応性が高く、しかも繰り返して使用することができるようにする。【解決手段】  全体形状が円筒状の滑り止め具１であって、ゴムで構成され、内径が傘２における石突３の外径よりも小さくなされており、該石突３の先端部３ａに嵌め被せることで装着される。この装着時においては滑り止め具１の周壁１ｂは石突３の形状や外径に対応して容易に拡張する。また、滑り止め具１を構成するゴムには必要に応じてガラス繊維が混入され、滑り止め具１の外表面１ａには着色が施される。【選択図】  図４
0003141339.tif 000002
【実用新案登録請求の範囲】
【請求項１】
全体が円筒状であって、ゴムで構成され、内径が石突の外径よりも小さくなされている、石突の滑り止め具。
【請求項２】
ゴムにガラス繊維が混入されている、請求項１記載の石突の滑り止め具。
【請求項３】
外周面に着色が施されている、請求項１または請求項２記載の石突の滑り止め具。
【請求項４】
内周面に軸方向に伸びる多数の凹溝が形成されている、請求項１〜請求項３のうちのいずれか一項記載の石突の滑り止め具。
【請求項５】
先端面がテーパー状となされている、請求項１〜請求項４のうちのいずれか一項記載の石突の滑り止め具。
【請求項６】
石突に、請求項１〜請求項５のうちのいずれか一項記載の滑り止め具が装着された傘。
【考案の詳細な説明】
【技術分野】
【０００１】
本考案は、傘を壁等に立てかけた場合に、傘先端の石突が地面や床面等を滑って傘が倒れるのを防止するのに用いる石突の滑り止め具およびこれを装着した傘に関する。
【背景技術】
【０００２】
傘は傘立てに入れた場合には倒れることはないが、壁等に立てかけたり、電車やバスの車内で座席に立てかけた場合には、傘の石突が地面や床面等を滑って傘が倒れることが多い。特に、走行中の電車やバスの車内では車体が揺れるのに伴って傘が簡単に倒れてしまい、傘の所有者である乗客は傘が倒れる度にこれを拾い上げなければならず、また周りの乗客にも迷惑となる場合もある。
【０００３】
このような問題に対処するために、外表面に多数の滑り止め小突出子を形成したゴム製指サック状の滑り止め具や全体を円形として放射状のスリットを設け、外表面には多数の滑り止め小凹窪部を形成し、内面には粘着層を形成した滑り止め具が案出されている。
【特許文献１】実用新案登録第３１０８５８１号公報
【考案の開示】
【考案が解決しようとする課題】
【０００４】
前述した滑り止め具のうち、前者のものは、全体が指サック状（有底円筒状）であることから、種々の太さや形状を有する石突への対応性が低く、そのため、石突に完全に装着されない場合があり、使用時に脱落したり、本来の形状から変形した歪な形状で装着されて傘の外観を損ねる等の不都合があった。
【０００５】
一方、後者のものは、種々の太さや形状を有する石突への対応性があるものの、粘着層を介して石突に一体に貼着されるため、一旦、装着した後、これを外して別の傘に装着するといった繰り返し使用ができないという不都合があった。
【０００６】
本考案の目的は、種々の太さや形状を有する石突への対応性が高く、しかも繰り返して使用することができる石突の滑り止め具を提供することにある。
【課題を解決するための手段】
【０００７】
請求項１記載の本考案は、全体が円筒状であって、ゴムで構成され、内径が石突の外径よりも小さくなされている石突の滑り止め具である。
【０００８】
ゴムには、天然ゴムと合成ゴムの両方が含まれ、また請求項２に記載のように、ゴムにガラス繊維が混入される場合もある。なお、当該滑り止め具は、傘の石突先端部に装着した状態において、傘を壁等に立てかけた際、石突が床面や地面を滑らないように、所定の肉厚を有するものである。
【０００９】
請求項３記載の本発明は、前記請求項１または請求項２記載の石突の滑り止め具について、外周面に着色が施されていることを特徴とするものである。着色は傘生地の色と同色とするのが好ましく、また蛍光塗料を用いるのが好適である。
【００１０】
請求項４記載の本発明は、前記請求項１〜請求項３のうちのいずれか一項記載の石突の滑り止め具について、内周面に軸方向に伸びる多数の凹溝が形成されていることを特徴とするものである。
【００１１】
請求項５記載の本発明は、前記請求項１〜請求項４のうちのいずれか一項記載の石突の滑り止め具について、先端面がテーパー状となされていることを特徴とするものである。
【００１２】
請求項６記載の本発明は、石突に、前記請求項１〜請求項５のうちのいずれか一項記載の滑り止め具が装着された傘である。
【考案の効果】
【００１３】
本考案にかかる石突の滑り止め具は、従来のものと同様、ゴムで構成されているが、全体形状が指サック状（有底円筒状）ではなく、円筒状となされているため、種々の形状と外径を有する石突に装着する際に、周壁が容易に石突の外形に対応して拡張するため、歪な変形等を伴うこともなく、簡単且つ確実に装着され、また、取り外しも容易に行えるため、別の傘の石突にも繰り返して使用することができる。
【００１４】
そして、本考案にかかる石突の滑り止め具は、傘を壁や電車・バス等の座席に立てかけた際、当該滑り止め具の先端部が床面や地面に当接するため、石突が床面や地面を滑ることがなく、したがって、立てかけた傘が倒れるのを有効に防止することができる。また、ゴムにガラス繊維が混入された請求項２記載の滑り止め具によれば、床面や地面との摩擦抵抗がより大きくなるため、前記効果が一層高められる。
【００１５】
更に、外周面に着色が施された請求項３記載の滑り止め具によれば、傘の外観が向上し、特に傘生地と同じ着色を施すことによって、トータルなコーディネートが行える。また、着色に蛍光塗料を用いれば、夜間の道路横断時などにおける安全性が高められ、また蛍光塗料の艶やかな色がアクセントとなって、おしゃれ感を演出することができる。
【００１６】
請求項４記載の滑り止め具は、内周面に軸方向に伸びる多数の凹溝が形成されているため、石突先端部への装着時に石突内周面との接触面積が減少し、そのため一層スムーズな装着が行える。
【００１７】
請求項５記載の滑り止め具は、先端面がテーパー状となされているため、傘を壁等に立てかけた際、床面等との接触面積がより広くなり、そのため、前述した滑り止め効果が更に向上する。
【００１８】
請求項６記載の傘によれば、前述した滑り止め具による種々の効果がもたらされる。
【考案を実施するための最良の形態】
【００１９】
次に、本考案の実施形態を図面にしたがって説明するが、本発明はかかる実施形態に限定されるものではない。
【００２０】
図１〜図４に示すように、１は本実施形態にかかる滑り止め具であって、天然ゴムまたは合成ゴムで構成され、全体が円筒状となされており、その内径Ｌ１は傘２における石突３の先端部外径Ｌ２よりも小さく設定されている。
【００２１】
そして、滑り止め具１の外表面１ａには、傘生地４の色と同じ色の着色が施されており、本実施形態では着色に蛍光塗料が用いられている。
【００２２】
なお、滑り止め具１を構成する天然ゴムまたは合成ゴムには滑り止め効果を一層高めるためにガラス繊維が混入されることもある。
【００２３】
図２および図３に示すように、滑り止め具１は、傘２における石突３の先端部３ａに嵌め被せるだけで装着される。この場合、滑り止め具１は、有底円筒状ではなく、円筒状であるため、石突３の先端部３ａの太さおよび形状に対応してその周壁１ｂが容易に拡張して装着され得る。
【００２４】
そして、図５に示すように、石突３に滑り止め具１が装着された傘２を壁Ｗに立てかけた場合、石突３先端の滑り止め具１が床面Ｆに当接することによって、石突３が床面Ｆを滑ることがないため、傘２が倒れるのを防止することができる。なお、本実施形態にかかる滑り止め具１は、長さが１〜１．５ｃｍ程度であって、肉厚が約２ｍｍである。
【００２５】
図６〜図８は、本考案の他の実施形態かかる滑り止め具２１であって、前記実施形態と同様、天然ゴムまたは合成ゴムで構成され、全体形状も円筒状であるが、本実施形態では、内周面２１ａに当該滑り止め具２１の軸方向に伸びる多数の凹溝２２が形成されている。本実施形態の滑り止め具２１では、図８に示すように、前記多数の凹溝２２によって、石突先端部３ａとの接触面積が減少するため、滑り止め具２１を石突先端部３ａに一層スムーズに装着することができる。
【００２６】
図９は、径が互いに異なる滑り止め具１・２１をいわゆるセットものとした実施形態である。より詳細には、大径の滑り止め具Ａと中径の滑り止め具Ｂと小径の滑り止め具Ｃとを一つの袋１０に入れたものである。この場合、使用者は、自己が所有する傘の石突における先端部の外径に合わせて滑り止め具Ａ・Ｂ・Ｃを適宜選択して使用すれば良い。
【００２７】
図１０および図１１は、本考案の更に他の実施形態にかかる滑り止め具３１であって、全体形状は前述した実施形態と同様に円筒状であるが、先端面３２がテーパー状となされている。本実施形態の滑り止め具３１によれば、図１１に示すように、傘を壁等に立てかけた際、石突３の先端に装着した滑り止め具３１の先端面３２が床面Ｆとより広い接触面積をもって当接することとなる。
【産業上の利用可能性】
【００２８】
本考案にかかる石突の滑り止め具は、種々の形状や外径を有する石突に対応して容易且つ確実に装着でき、また傘のデザイン性も高められる等、種々の効果を有するため、幅広い利用が期待できる。
【図面の簡単な説明】
【００２９】
【図１】実施形態１に係る滑り止め具の斜視図である。
【図２】同実施形態の滑り止め具を石突に装着する前の状態を示す正面図である。
【図３】同実施形態の滑り止め具を石突に装着した後の状態を示す正面図である。
【図４】石突に滑り止め具が装着された傘の斜視図である。
【図５】石突に滑り止め具が装着された傘の立てかけ状態を示す斜視図である。
【図６】実施形態２に係る滑り止め具の平面図である。
【図７】同実施形態２に係る滑り止め具の中央縦断面図である。
【図８】同実施形態２に係る滑り止め具の装着状態を示す横断面図である。
【図９】滑り止め具のセットものの正面図である。
【図１０】実施形態３に係る滑り止め具の斜視図である。
【図１１】同実施形態の滑り止め具の使用状態を示す正面図である。
【符号の説明】
【００３０】
１  滑り止め具
１ａ  滑り止め具の外表面
１ｂ  滑り止め具の周壁
２  傘
３  石突
３ａ  石突先端部
４  傘生地
【図１】
0003141339.tif 000003
【図２】
0003141339.tif 000004
【図３】
0003141339.tif 000005
【図４】
0003141339.tif 000006
【図５】
0003141339.tif 000007
【図６】
0003141339.tif 000008
【図７】
0003141339.tif 000009
【図８】
0003141339.tif 000010
【図９】
0003141339.tif 000011
【図１０】
0003141339.tif 000012
【図１１】
0003141339.tif 000013